(57)【要約】      （修正有）【課題】素早く毛髪を捉えて、所望する状態に毛髪を梳くような作業に用いられるヘヤーブラシの植毛方法及びヘヤーブラシを提供する。【解決手段】柔軟性を有する線条体７を二つ折り状態に折り曲げて、ヘヤーブラシを構成するブラシ本体２のブラシ部４先端部の各長穴４ｂに夫々挿入し、一つに束ねられた複数の各毛５を、各長穴４ｂと連通する各穴部４ａ外方に引き出した各線条体７に引っ掛ける。各毛５を毛先が互い違いとなるように変位させてずらし且つ二つ折り状態に折り曲げた後、各線条体７の引き出し部を各穴部４ａ内方に引き込み、各毛５の折り曲げ部を各穴部４ａに埋め込み固定する。且つ、各長穴４ｂを閉塞部材８で夫々閉塞し、各長穴４ｂ外方に突出する各線条体７の端部を切除した後、ブラシ部４先端部を滑らかな面に仕上げ加工する。【選択図】図３
2006246912.tif 000002
【特許請求の範囲】
【請求項１】
一つに束ねられた複数の各毛をブラシ部の植毛面に対して所定等間隔に隔てて植毛したヘヤーブラシであって、
上記複数の各毛を一つに束ねたまま植毛する穴部を、上記ブラシ部の植毛面に沿って所定等間隔に隔てて複数形成し、
上記複数の各穴部と連通され、上記ブラシ部の厚み方向と直交して形成した複数の各長穴に対して柔軟性を有する線条体を二つ折り状態に折り曲げて挿入し、
上記一つに束ねられた複数の各毛を、上記各穴部外方に引き出した各線条体の引き出し部に引っ掛けて二つ折り状態に折り曲げ、
上記各線条体の引き出し部を各穴部内方に引き込み、該各毛の折り曲げ部を各穴部に埋め込み固定し、
上記各長穴の開口部を閉塞部材により閉塞して、上記各線条体の端部を各長穴の開口部に固定する
ヘヤーブラシの植毛方法。
【請求項２】
一つに束ねられた複数の各毛をブラシ部の植毛面に対して所定等間隔に隔てて植毛したヘヤーブラシであって、
上記複数の各毛が植毛される穴部を、上記ブラシ部の植毛面に沿って所定等間隔に隔てて複数形成し、
上記複数の各穴部と連通する長穴を、上記ブラシ部の厚み方向と直交して複数形成し、
上記複数の各毛を、上記各穴部と連通する長穴に挿入した柔軟性を有する線条体に引っ掛け且つ二つ折り状態に折り曲げて各穴部に埋め込み固定し、
上記各長穴の開口部を閉塞する閉塞部材によって、上記各線条体の端部を各長穴の開口部に固定した
ヘヤーブラシ。
【請求項３】
上記穴部を、平面から見て縦長型を有するブラシ部の植毛側表面に沿って長さ方向及び幅方向に所定等間隔に隔てて複数形成し、
上記長穴を、上記ブラシ部の植毛側表面に沿って長さ方向に配列した各穴部と連通して、該ブラシ部の植毛側表面に配列した各列の各穴部と連通する間隔に隔てて複数設けた
請求項１に記載のヘヤーブラシの植毛方法又は請求項２に記載のヘヤーブラシ。
【請求項４】
上記穴部を、先端側から見てロール型を有するブラシ部の植毛側外周面に沿って長さ方向及び円周方向に所定等間隔に隔てて複数形成し、
上記長穴を、上記ブラシ部の長さ方向に配列した各穴部と連通して、該ブラシ部の円周方向に配列した各列の各穴部と連通する間隔に隔てて複数設けた
請求項１に記載のヘヤーブラシの植毛方法又は請求項２に記載のヘヤーブラシ。
【請求項５】
上記穴部を、平面から見て丸型を有するブラシ部の植毛側表面に沿って中心部から外周部に向けた放射方向及び表面中心部を中心として円周方向に所定等間隔に隔てて複数形成し、
上記長穴を、上記ブラシ部の中心部から外周部に向けて放射方向に配列した各穴部と連通して、該ブラシ部の植毛側表面に配列した各列の各穴部と連通する間隔に隔てて複数設けた
請求項１に記載のヘヤーブラシの植毛方法又は請求項２に記載のヘヤーブラシ。
【請求項６】
上記複数の各毛を毛先が互い違いとなるように長さ方向に変位させて上記線条体に引っ掛けた
請求項１に記載のヘヤーブラシの植毛方法又は請求項２〜５のいずれか一つに記載のヘヤーブラシ。
【請求項７】
上記長穴を、上記植毛面に形成した同一線上の各穴部と連通した
請求項１に記載のヘヤーブラシの植毛方法又は請求項２〜６のいずれか一つに記載のヘヤーブラシ。
【発明の詳細な説明】
【技術分野】
【０００１】
この発明は、例えば素早く毛髪を捉えて、所望する状態に毛髪を梳くような作業に用いられるヘヤーブラシの植毛方法及びヘヤーブラシに関する。
【背景技術】
【０００２】
従来、上述のようなヘヤーブラシとしては、例えば複数の各毛を一つに束ねたまま二つ折り状態に折り曲げて、各毛の折り曲げ部分に係止した抜止め部材を、ブラシ本体を構成するブラシ部の穴部に対して機械的に打ち込み固定する方法があるが、抜止め部材を打ち込むとき、穴部の内壁面が削られるため、毛に引っ張り力が付与されると、ブラシ部の穴部から毛が抜け落ちてしまう。また、ブラシ部に植毛された各毛の毛先が揃っているので、毛髪の間に毛が入り込まず、毛髪の表面を上滑りする。且つ、毛先が地肌まで届かず、毛髪を捉えにくい。
【０００３】
また、裏板表面に植え込まれた動物の毛の根元に、裏板側面から打ち込まれた竹釘を貫通させて抜止めする特許文献１のフケ取りブラシがあるが、裏板表面に植え込まれた動物の毛の根元と、その毛の根元に貫通される竹釘との貫通状態を外部から目視確認することが不可能であるため、毛の根元に対して竹釘を正確に貫通せしめることが難しく、全ての毛を確実に抜止めすることができない。
【０００４】
【特許文献１】実公大１２−７２０７号公報
【発明の開示】
【発明が解決しようとする課題】
【０００５】
この発明は上記問題に鑑み、毛が抜ける心配がなく、ブラッシングの際に地肌まで毛先が通りやすいヘヤーブラシの植毛方法及びヘヤーブラシの提供を目的とする。
【課題を解決するための手段】
【０００６】
請求項１に記載した発明のヘヤーブラシの植毛方法は、一つに束ねられた複数の各毛をブラシ部の植毛面に対して所定等間隔に隔てて植毛したヘヤーブラシであって、上記複数の各毛を一つに束ねたまま植毛する穴部を、上記ブラシ部の植毛面に沿って所定等間隔に隔てて複数形成し、上記複数の各穴部と連通され、上記ブラシ部の厚み方向と直交して形成した複数の各長穴に対して柔軟性を有する線条体を二つ折り状態に折り曲げて挿入し、上記一つに束ねられた複数の各毛を、上記各穴部外方に引き出した各線条体の引き出し部に引っ掛けて二つ折り状態に折り曲げ、上記各線条体の引き出し部を各穴部内方に引き込み、該各毛の折り曲げ部を各穴部に埋め込み固定し、上記各長穴の開口部を閉塞部材により閉塞して、上記各線条体の端部を各長穴の開口部に固定することを特徴とする。つまり、複数の各毛を各穴部と連通する長穴に挿入した線条体に引っ掛けてあるので、確実に抜止め固定することができる。
【０００７】
請求項２に記載した発明のヘヤーブラシは、一つに束ねられた複数の各毛をブラシ部の植毛面に対して所定等間隔に隔てて植毛したヘヤーブラシであって、上記複数の各毛が植毛される穴部を、上記ブラシ部の植毛面に沿って所定等間隔に隔てて複数形成し、上記複数の各穴部と連通する長穴を、上記ブラシ部の厚み方向と直交して複数形成し、上記複数の各毛を、上記各穴部と連通する長穴に挿入した柔軟性を有する線条体に引っ掛け且つ二つ折り状態に折り曲げて各穴部に埋め込み固定し、上記各長穴の開口部を閉塞する閉塞部材によって、上記各線条体の端部を各長穴の開口部に固定したことを特徴とする。
【０００８】
つまり、柔軟性を有する線条体を二つ折り状態に折り曲げてブラシ部の各長穴に夫々挿入し、一つに束ねられた複数の各毛を、各長穴と連通する各穴部外方に引き出した各線条体の引き出し部に引っ掛けて二つ折り状態に折り曲げた後、各線条体の引き出し部を各穴部内方に引き込み、各毛の折り曲げ部を各穴部に埋め込み固定し、各長穴の開口部を閉塞部材により閉塞して、各線条体の端部を各長穴の開口部に固定するので、複数の各毛を各穴部に対して確実に抜止め固定することができる。なお、各長穴外方に突出する各線条体の端部は切除する。
【０００９】
請求項３に記載した発明のヘヤーブラシの植毛方法又はヘヤーブラシは、上記請求項１又は請求項２に記載の構成と併せて、上記穴部を、平面から見て縦長型を有するブラシ部の植毛側表面に沿って長さ方向及び幅方向に所定等間隔に隔てて複数形成し、上記長穴を、上記ブラシ部の植毛側表面に沿って長さ方向に配列した各穴部と連通して、該ブラシ部の植毛側表面に配列した各列の各穴部と連通する間隔に隔てて複数設けたことを特徴とする。つまり、複数の各毛を、縦長型を有するブラシ部の植毛側表面に対して長さ方向及び幅方向に配列された各穴部に夫々植毛する。
【００１０】
請求項４に記載した発明のヘヤーブラシの植毛方法又はヘヤーブラシは、上記請求項１又は請求項２に記載の構成と併せて、上記穴部を、先端側から見てロール型を有するブラシ部の植毛側外周面に沿って長さ方向及び円周方向に所定等間隔に隔てて複数形成し、上記長穴を、上記ブラシ部の長さ方向に配列した各穴部と連通して、該ブラシ部の円周方向に配列した各列の各穴部と連通する間隔に隔てて複数設けたことを特徴とする。つまり、複数の各毛を、ロール型を有するブラシ部の植毛側外周面に対して円周方向に配列された各穴部に夫々植毛する。
【００１１】
請求項５に記載した発明のヘヤーブラシの植毛方法又はヘヤーブラシは、上記請求項１又は請求項２に記載の構成と併せて、上記穴部を、平面から見て丸型を有するブラシ部の植毛側表面に沿って中心部から外周部に向けた放射方向及び表面中心部を中心として円周方向に所定等間隔に隔てて複数形成し、上記長穴を、上記ブラシ部の中心部から外周部に向けて放射方向に配列した各穴部と連通して、該ブラシ部の植毛側表面に配列した各列の各穴部と連通する間隔に隔てて複数設けたことを特徴とする。つまり、複数の各毛を、丸型を有するブラシ部の植毛側表面に対して放射方向に配列された各穴部に夫々植毛する。
【００１２】
請求項６に記載した発明のヘヤーブラシの植毛方法又はヘヤーブラシは、上記請求項１又は請求項２〜５のいずれか一つに記載の構成と併せて、上記複数の各毛を毛先が互い違いとなるように長さ方向に変位させて上記線条体に引っ掛けたことを特徴とする。つまり、各線条体に引っ掛けた各毛を毛先が互い違いとなるように変位させてから二つ折り状態に折り曲げるか、各線条体に引っ掛けた各毛を二つ折り状態に折り曲げてから毛先が互い違いとなるように変位させる等して、各毛の毛先をほど良い状態にずらすので、ブラッシングの際に地肌まで毛先が通りやすくなる。
【００１３】
請求項７に記載した発明のヘヤーブラシの植毛方法又はヘヤーブラシは、請求項１又は請求項２〜６のいずれか一つに記載の構成と併せて、上記長穴を、上記植毛面に形成した同一線上の各穴部と連通したことを特徴とする。つまり、各穴部に埋め込まれた複数の各毛を、一つの長穴に挿入した線条体により抜止めすことができる。
【発明の効果】
【００１４】
この発明によれば、一つに束ねられた複数の各毛を、ブラシ部の各穴部と連通する長穴に挿入した線条体に引っ掛けているので、複数の各毛を確実に抜止め固定することができ、使用時において毛が抜ける心配がなく、ブラシとして長期に渡り使用可能であり、耐久性に優れている。且つ、線条体を、ブラシ部の穴部に埋め込まれた毛の折り曲げ部から抜き取るだけで、ブラシ部に植毛された古い毛を、新しい毛に植え替える作業も簡単且つ容易に行える。
【００１５】
また、複数の各毛を毛先が互い違いとなるように長さ方向に変位させて、各毛の毛先をほど良い状態にずらしたまま植毛するので、ブラッシングの際に地肌まで毛先が通りやすく、素早く毛髪を捉えて、所望する状態に髪を梳くことができ、地肌のマッサージや血行促進等の効果も得られる。
【発明を実施するための最良の形態】
【００１６】
この発明は、毛が抜ける心配がなく、ブラッシングの際に地肌まで毛先が通りやすいという目的を、一つに束ねられた複数の各毛を、ブラシ部の各穴部と連通する長穴に挿入した線条体に引っ掛けるとともに、毛先が互い違いとなるように長さ方向に変位させることで達成した。
【実施例】
【００１７】
この発明の一実施例を以下図面に基づいて詳述する。  
図面は、手作業により植毛するヘヤーブラシの植毛方法及びヘヤーブラシを示し、図１に於いて、このヘヤーブラシ１は、天然の黒檀からなるブラシ本体２の一端側に、手で把持可能な大きさ及び形状を有する柄部３を設け、ブラシ本体２の他端側に、複数の各毛５…を一つに束ねたまま手植えするブラシ部４を設けている。なお、一つの穴部４ａに植毛される毛５の本数は、図１以外の図面では２本に省略しているが、図１に示すように２本以上の複数本で構成している。
【００１８】
上記ブラシ本体２は、天然の黒檀で構成しているが、例えば朴の木、桂、桜、その他の木等の単一又は複合した材質で構成するか、或いは、プラスチック、金属等の単一又は複合した材質で構成することもできる。また、柄部３とブラシ部４とを分離可能に設けてもよい。
【００１９】
且つ、平面から見て縦長型を有するブラシ部４の植毛側表面には、図２、図３にも示すように、例えば穴あけ機、穴あけ装置、穴あけ具等のドリルを用いて、複数の各毛５…を一つに束ねてなる毛群６の折り曲げ部６ａが植込み固定される表面側から見て丸形の穴部４ａを、ブラシ部４の表面に沿って長さ方向に所定等間隔に隔てて複数形成するとともに、その複数一組とする１列分の各穴部４ａ…を、ブラシ部４表面に沿って幅方向に所定等間隔に隔てて複数配列している。
【００２０】
且つ、穴部４ａは、毛群６の略中央部を二つ折り状態に折り曲げてなるＵ字状の折り曲げ部６ａが植込み固定される深さに形成している。実施例では、ブラシ部４の厚み方向に対して略真ん中に到達する深さに設定しているが、厚み方向の略真ん中よりも浅くするか、深くする等の所望する深さに変更してもよい。
【００２１】
且つ、ブラシ部４の先端面には、針状のドリル９を用いて、柔軟性を有する糸状の線条体７が挿入される長穴４ｂを、ブラシ部４の植毛側表面に沿って長さ方向に配列された同一線上の各穴部４ａ…と連通して、ブラシ部４の裏面（底面）又は表面と平行して長さ方向に形成するとともに、ブラシ部４の幅方向に配列された各列の各穴部４ａ…と連通する間隔に隔てて複数設けている。
【００２２】
且つ、長穴４ｂは、ブラシ部４の厚み方向と直交して、ブラシ部４に形成した各穴部４ａ…の底部と連通する深さ位置に形成している。実施例では、ブラシ部４の厚み方向に対して略真ん中に対応する深さ位置に設定しているが、厚み方向の略真ん中よりも浅い位置、深い位置等の所望する深さ位置に変更してもよい。また、長穴４ｂを、ブラシ部４の幅方向に配列された同一線上の各穴部４ａ…と連通して設けることもできる。
【００２３】
且つ、ブラシ部４先端面に形成した各長穴４ｂ…の開口部は、ブラシ本体２と同一の材質で形成した閉塞部材８を閉塞する。また、閉塞部材８を、例えばプラスチック、金属等のブラシ本体２と異なる材質で構成してもよい。
【００２４】
前記毛５は、例えば豚毛、馬毛、その他の動物等の単一又は混合した天然の毛で構成することができる。また、動物の毛の代わりに、例えば柔軟性を有する化学繊維、植物繊維等からなる人工の毛を用いてもよい。
【００２５】
且つ、線条体７は、例えば合成樹脂、化学繊維、天然繊維等の単一又は複合した材質からなる糸で構成するか、或いは、単一の金属線、複数の金属線を束ねてなるワイヤー等で構成することができる。
【００２６】
上記ヘヤーブラシ１を構成するブラシ本体２のブラシ部４表面に、複数の各毛５…を手作業により手植えする作業手順を説明する。
【００２７】
先ず、図２にも示すように、複数の各毛５…が植毛される複数の各穴部４ａ…を、ブラシ部４表面に沿って長さ方向及び幅方向に所定等間隔に隔てて形成し、線条体７が挿入される長穴４ｂを、ブラシ部４表面に沿って長さ方向に配列された同一線上の各穴部４ａ…と連通して、ブラシ部４の幅方向に配列された各列の各穴部４ａ…と連通する間隔に隔てて複数形成する。
【００２８】
次に、図３にも示すように、糸状の線条体７を二つ折り状態に折り曲げて、ブラシ本体２のブラシ部４先端面に形成した長穴４ｂ全長に対して長さ方向に挿入した後、先端鉤状の引き出し具１０（又は摘み上げ具等）を、長穴４ｂ上に配列された任意の穴部４ａに対して表面側から差し込み、穴部４ａ直下を通る線条体７に係止する。
【００２９】
次に、図４にも示すように、線条体７が係止された引き出し具１０を穴部４ａから抜き取り、線条体７の一部を穴部４ａ外方に引き出した後、複数の各毛５…を一つに束ねてなる毛群６の略中央部を、穴部４ａ外方に引き出された線条体７のループ状を有する引き出し部７ａに引っ掛ける。
【００３０】
次に、図５にも示すように、複数の各毛５…を一つに束ねたまま指先により摘んで毛先が互い違いとなるように長さ方向に対して変位させ、各毛５…の毛先をほど良い状態にずらした後、二つ折り状態に折り曲げる。また、各毛５…を二つ折り状態に折り曲げた後、毛先が互い違いとなるように長さ方向に対して変位させてもよい。
【００３１】
次に、図６にも示すように、ブラシ部４先端面の長穴４ｂ外方に突出する線条体７の両端部を引っ張り、毛群６の折り曲げ部６ａが引っ掛けられた線条体７の引き出し部７ａと、その引き出し部７ａに引っ掛けられた毛群６の折り曲げ部６ａとをブラシ部４の穴部４ａ内方に引き込むとともに、毛群６の折り曲げ部６ａをブラシ部４の穴部４ａに対して強引に埋め込み固定する。
【００３２】
上述と同様にして、ブラシ部４の各長穴４ｂ…に挿入した各線条体７…の一部を各穴部４ａ…外方に引き出し、複数の各毛５…を一つに束ねてなる各毛群６…を各線条体７…の各引き出し部７ａ…に引っ掛けて、各毛５…を毛先が互い違いとなるように変位させてずらし且つ二つ折り状態に折り曲げた後、ブラシ部４先端面に突出する各線条体７…を引っ張るとともに、各毛群６…の各折り曲げ部６ａ…をブラシ部４の各穴部４ａ…に埋め込み固定して、ブラシ部４の表面全体に対して所定等間隔に隔てられた状態に多数手植えする。
【００３３】
次に、図７にも示すように、各長穴４ｂ…外方に各線条体７…の端部を引き出したまま、各長穴４ｂ…の開口部に対して閉塞部材８を個々に埋め込んで閉塞し、各線条体７…の端部を抜止め固定した後、各長穴４ｂ…外方に突出する各線条体７…の余分な部分を切除し、ブラシ部４先端面を、例えば研磨、切削する等して滑らかな面に仕上げれば、図１に示すヘヤーブラシ１の手作り作業が完了する。また、余分な部分を切除した線条体７の両端部は、例えば結束、接着、溶着するか、止め具で固定する等してもよい。なお、線条体７を、長穴４ｂ全長と一致する長さに設定すれば切除する必要がない。
【００３４】
以上のように、複数の各毛５…を一つに束ねてなる毛群６の折り曲げ部６ａを、ブラシ部４の各穴部４ａ…と連通する長穴４ｂに挿入した線条体７に引っ掛けているので、複数の各毛５…を確実に抜止め固定することができ、使用時において各毛５…が抜ける心配がなく、ブラシとして長期に渡り使用可能であり、耐久性に優れている。且つ、線条体７を、ブラシ部４の穴部４ａに埋め込まれた毛群６の折り曲げ部６ａから抜き取るだけで、ブラシ部４に植毛された古い毛５を、新しい毛５に植え替える作業も簡単且つ容易に行える。
【００３５】
また、複数の各毛５…を毛先が互い違いとなるように長さ方向に変位させて、各毛５…の毛先をほど良い状態にずらしたまま植毛するので、ブラッシングの際に地肌まで毛先が通りやすく、素早く毛髪をとらえて、所望する状態に髪を梳くことができ、地肌のマッサージや血行促進等の効果も得られる。
【００３６】
図８は、ヘヤーブラシ１０を構成するブラシ本体１２のロール型ブラシ部１４に植毛した他の例を示し、複数の各毛５…を一つに束ねてなる毛群６の折り曲げ部６ａが植込み固定される穴部１４ａを、ロール型を有するブラシ部１４の植毛側外周面に沿って長さ方向に所定等間隔に隔てて複数形成するとともに、その複数一組とする１列分の各穴部１４ａ…を、ブラシ部１４の外周面に沿って円周方向に所定等間隔（又は所定等角度）に隔てて複数配列している。
【００３７】
且つ、ブラシ部１４の先端部に形成した線条体７が挿入される長穴１４ｂを、ブラシ部１４の長さ方向に配列された同一線上の各穴部１４ａ…と連通して、ブラシ部１４の植毛側外周面と平行及び厚み方向と直交して長さ方向に形成するとともに、ブラシ部１４の円周方向に配列された各列の各穴部１４ａ…と連通する間隔に隔てて複数配列しているので、上記実施例と同一の作業手順で製作すれば、当該実施例と略同等の作用及び効果を奏することができる。
【００３８】
図９、図１０は、ヘヤーブラシ２１を構成するブラシ本体２２の丸型ブラシ部２４に植毛したその他の例を示し、複数の各毛５…を一つに束ねてなる毛群６の折り曲げ部６ａが植込み固定される穴部２４ａを、平面から見て丸型を有するブラシ部２４の植毛側表面に沿って中心部から外周部に向けて放射方向に所定等間隔に隔てて複数形成するとともに、その複数一組とする１列分の各穴部２４ａ…を、ブラシ部２４の表面中心部を中心として円周方向に所定等間隔（又は所定等角度）に隔てて複数配列している。
【００３９】
且つ、ブラシ部２４の外周面に形成した線条体７が挿入される長穴２４ｂを、ブラシ部２４の中心部から外周部に向けて放射方向に配列された同一線上の各穴部２４ａ…と連通して、ブラシ部２４の植毛側表面と平行及び厚み方向と直交して径方向に形成するとともに、放射状に配列された各列の各穴部２４ａ…と連通する間隔に隔てて複数配列しているので、前記実施例と同一の作業手順で製作すれば、当該実施例と略同等の作用及び効果を奏することができる。また、図１０の仮想線で示す柄部２３を、ブラシ部２４の一側部に対して一体的又は分離可能に設けてもよい。
【００４０】
なお、上述の他の例及びその他の例において、前記実施例と同一構成の部分は同一の符号を記してその詳細な説明を省略する。
【００４１】
この発明の構成と、上述の実施例との対応において、  
この発明のブラシ部の植毛面は、実施例のブラシ部４，２４の植毛側表面と、ブラシ部１４の植毛側外周面とに対応するも、  
この発明は、上述の実施例の構成のみに限定されるものではなく、請求項に示される技術思想に基づいて応用することができ、多くの実施の形態を得ることができる。
【産業上の利用可能性】
【００４２】
本発明のヘヤーブラシの構成は、例えばボディーブラシ、衣服用ブラシ等のブラシにも利用することができる。
【図面の簡単な説明】
【００４３】
【図１】ヘヤーブラシの平面型ブラシ部に植毛した例を示す斜視図。
【図２】図１のブラシ部表面に形成した穴部の配列状態を示す平面図。
【図３】毛をブラシ部の穴部に埋め込むときの作業手順を示す断面図。
【図４】線条体の引き出し状態及び毛の引っ掛け状態を示す拡大断面図。
【図５】複数の各毛の折り曲げ状態及び毛先のずらし状態を示す拡大断面図。
【図６】毛をブラシ部の穴部に押し込んだ状態を示す拡大断面図。
【図７】毛をブラシ部の穴部に植毛した状態を示す断面図。
【図８】ヘヤーブラシのロール型ブラシ部に植毛した他の例を示す断面図。
【図９】ヘヤーブラシの丸型ブラシ部に植毛したその他の例を示す断面図。
【図１０】図９のブラシ部表面に形成した穴部の配列状態を示す平面図。
【符号の説明】
【００４４】
１，１１，２１…ヘヤーブラシ
２，１２，２２…ブラシ本体
３，１３，２３…柄部
４，１４，２４…ブラシ部
４ａ，１４ａ，２４ａ…穴部
４ｂ，１４ｂ，２４ｂ…長穴
５…毛
６…毛群
６ａ…折り曲げ部
７…線条体
７ａ…引き出し部
８…閉塞部材
【図１】
2006246912.tif 000003
【図２】
2006246912.tif 000004
【図３】
2006246912.tif 000005
【図４】
2006246912.tif 000006
【図５】
2006246912.tif 000007
【図６】
2006246912.tif 000008
【図７】
2006246912.tif 000009
【図８】
2006246912.tif 000010
【図９】
2006246912.tif 000011
【図１０】
2006246912.tif 000012